(57)【要約】【課題】記録用の画像データのγ特性を高精度に変換し、ライブビュー用画像データのγ特性を高速に変換する、ローコストなデータ変換回路および撮像装置を提供する。【解決手段】信号経路切替制御手段は、第１の制御モードにおいて、ＬＵＴ制御手段は、入力データを入力する前に、第１のルックアップテーブル格納メモリには第１の変換用参照テーブルを、第２のルックアップテーブル格納メモリには第２の変換用参照テーブルを格納し、出力制御手段は、比較器の比較結果に基づいて、出力切り替え手段を切り替えて変換出力データとして出力し、第２の制御モードにおいて、ＬＵＴ制御手段は、入力データを入力する前に、第１のルックアップテーブル格納メモリと第２のルックアップテーブル格納メモリに第３の変換用参照テーブルを格納し、第１のルックアップテーブル格納メモリと第２のルックアップテーブル格納メモリの出力データを変換出力データとして出力する。【選択図】図５
2007235803.tif 000002
【特許請求の範囲】
【請求項１】
入出力データの対応付けを定義した変換用参照テーブルを用いて、入力データを変換するデータ変換回路であって、
変換用参照テーブルを用いて前記入力データに対応付けられた出力データを出力する第１のルックアップテーブル格納メモリと、
変換用参照テーブルを用いて前記入力データに対応付けられた出力データを出力する第２のルックアップテーブル格納メモリと、
第１のルックアップテーブル格納メモリと第２のルックアップテーブル格納メモリに入力する入力データを切り替える信号経路切替手段と、
前記信号経路切替手段を制御する信号経路切替制御手段と、
第１のルックアップテーブル格納メモリと、第２のルックアップテーブル格納メモリに格納する変換用参照テーブルを変更するＬＵＴ制御手段と、
第１のルックアップテーブル格納メモリと第２のルックアップテーブル格納メモリの出力データを切り替えて出力する出力切り替え手段と、
前記入力データを所定値と比較する比較器と、
前記切り替え手段による出力データの切り替えを制御する出力制御手段と、
を有し、
前記信号経路切替制御手段と前記ＬＵＴ制御手段と前記出力制御手段が異なる複数の制御モードを有することを特徴とするデータ変換回路。
【請求項２】
前記信号経路切替制御手段は、
信号経路切替手段を第１の入力データと第２の入力データのいずれかを第１のルックアップテーブル格納メモリと、第２のルックアップテーブル格納メモリに入力するように切り替える第１の制御モードと、
第１の入力データと第２の入力データを同時に第１のルックアップテーブル格納メモリと、第２のルックアップテーブル格納メモリに入力する第２の制御モードを有することを特徴とする請求項１に記載のデータ変換回路。
【請求項３】
前記ＬＵＴ制御手段は、
第１のルックアップテーブル格納メモリには第１の変換用参照テーブルを、
第２のルックアップテーブル格納メモリには第２の変換用参照テーブルを、
それぞれ格納する第１の制御モードと、
第１のルックアップテーブル格納メモリと第２のルックアップテーブル格納メモリに第３の変換用参照テーブルを格納する第２の制御モードを有することを特徴とする請求項１に記載のデータ変換回路。
【請求項４】
前記第１の変換用参照テーブルは、所定値以下の画像データを階調変換するためのデータであり、
前記第２の変換用参照テーブルは、所定値以上の前記画像データを階調変換するためのデータであることを特徴とする請求項３に記載のデータ変換回路。
【請求項５】
前記出力制御手段は、
前記比較器の比較結果に基づいて、前記出力切り替え手段を切り替えて前記出力データとして出力する第１の制御モードと、
前記第１のルックアップテーブル格納メモリと前記第２のルックアップテーブル格納メモリの出力データを前記出力データとして出力する第２の制御モードを有することを特徴とする請求項１に記載のデータ変換回路。
【請求項６】
被写体像を光電変換して画像信号を生成する撮像手段と、
前記撮像手段から取り込んだ前記画像信号をＡ／Ｄ変換するＡ／Ｄ変換回路と、
前記Ａ／Ｄ変換回路でＡ／Ｄ変換された画像データを記憶する第１の入力画像メモリ、および第２の入力画像メモリと、
前記第１の入力画像メモリと、前記第２の入力画像メモリに記憶した前記画像データを、前記出力データに変換して出力する請求項１乃至５の何れか１項に記載のデータ変換回路と、
記録画像を記憶する記録画像メモリと、
第１の表示用画像を記録する第１の表示用画像メモリと、
第２の表示用画像を記録する第２の表示用画像メモリと、
を有し、
前記第１の入力データは、第１の入力画像メモリの出力データ、
前記第２の入力データは、第２の入力画像メモリの出力データ、
であり、
前記第１の制御モードにおいては、
変換後の前記出力データを、前記記録画像メモリに記憶し、
前記第２の制御モードにおいては、
第１の変換用参照テーブルの出力データを第１の表示用画像メモリに、
第２の変換用参照テーブルの出力データを第２の表示用画像メモリに、
記憶することを特徴とする撮像装置。
【請求項７】
前記撮像装置は、
前記第１の表示用画像メモリと、第２の表示用画像メモリに記憶された画像データに基づき、画像を表示する表示手段と、
前記表示手段に、前記撮像手段で生成された画像信号に基づく撮影候補の画像表示を行わせるライブビューの作動を制御するライブビュー制御手段と、
を有し、
前記ライブビュー制御手段は、
撮影前に、前記信号経路切替制御手段を前記第２の制御モードに設定し、前記第１の入力画像メモリと前記第２の入力画像メモリに記憶されている前記画像データを、階調変換後、前記表示手段に表示し、
撮影時に、前記信号経路切替制御手段を前記第１の制御モードに設定し、撮影後に前記第１の入力画像メモリと前記第２の入力画像メモリに記憶された前記画像データを、階調変換して前記記録画像メモリに記憶することを特徴とする請求項６に記載の撮像装置。
【請求項８】
前記撮像装置は、
前記第１の表示用画像メモリと、第２の表示用画像メモリに記憶された画像データに基づき、画像を表示する表示手段と、
前記表示手段に前記撮像手段で生成された画像信号に基づく撮影後の画像表示を行わせるアフタービューの作動を制御するアフタービュー制御手段と、
を有し、
前記アフタービュー制御手段は、
撮影時に前記信号経路切替制御手段を前記第１の制御モードに設定し、前記第１の入力画像メモリと前記第２の入力画像メモリに記憶された前記画像データを、階調変換して前記表示手段に表示した後、
前記信号経路切替制御手段を前記第２の制御モードに設定し、前記第１の入力画像メモリと前記第２の入力画像メモリに記憶されている前記画像データを、階調変換後、前記記録画像メモリに記憶することを特徴とする請求項６または７に記載の撮像装置。
【発明の詳細な説明】
【技術分野】
【０００１】
本発明は、データ変換回路および撮像装置に関する。
【背景技術】
【０００２】
デジタルカメラなどの撮像装置では、一般に、撮像素子（ＣＣＤ等）から得られる入力データのダイナミックレンジを圧縮するため、入力データを予め定められているγ特性に変換して出力している。このような、入力データを所定のγ特性に変換して出力データにする画像処理には、入力データに対する出力データの対応関係を補正データとして記憶しているルックアップテーブル（以下ＬＵＴと記す）と呼ばれるデータ変換用のメモリが用いられる。
【０００３】
近年、撮像素子の高画素化に伴い、デジタルカメラで撮影した記録用画像データは、より高画質化が求められている。階調特性もその画質を決定する要素の一つであり、より良い階調特性を得るためには、精度の高いγ変換を行う必要がある。
【０００４】
そのため、少ないメモリで高精度なγ変換を行う方法として、データを補間することにより高精度なγ特性を得る方法が提案されている（例えば特許文献１、特許文献２参照）。
【０００５】
一方、ユーザーが被写体のリアルタイム画像を視認しつつ撮影操作を行うために、撮像装置の電子ビューファインダや背面の表示部に表示されるライブビュー画像においては、被写体を追尾するため高いフレームレートが望まれている。
【０００６】
そのため、ライブビュー表示を行う電子ビューファインダに、表示用の２つの画像メモリを設け、交互にビューファインダ用画像の書き込みと読み出しを行うことにより、高いフレームレートを得る方法が提案されている（例えば特許文献３参照）。
【特許文献１】特開平１１−２５２３７２号公報
【特許文献２】特開２００３−２３３８１２号公報
【特許文献３】特開２００４−２１５１４５号公報
【発明の開示】
【発明が解決しようとする課題】
【０００７】
しかしながら、従来はライブビュー表示を行うとき、ライブビュー用画像データのγ特性を変換するために用いるＬＵＴは、撮影した記録用画像データのγ特性を変換するために用いるＬＵＴと共通であり、γ変換時に記録用画像データと同様の処理を行うので処理時間がかかっていた。一方、画像表示用に別途ＬＵＴを設けると回路規模が大きくなり、コストアップになってしまう。
【０００８】
本発明は、上記課題に鑑みてなされたものであって、記録用の画像データのγ特性を高精度に変換し、表示用画像データのγ特性を高速に変換する、ローコストなデータ変換回路および撮像装置を提供することを課題とする。
【課題を解決するための手段】
【０００９】
本発明の目的は、下記構成により達成することができる。
【００１０】
１．
入出力データの対応付けを定義した変換用参照テーブルを用いて、入力データを変換するデータ変換回路であって、
変換用参照テーブルを用いて前記入力データに対応付けられた出力データを出力する第１のルックアップテーブル格納メモリと、
変換用参照テーブルを用いて前記入力データに対応付けられた出力データを出力する第２のルックアップテーブル格納メモリと、
第１のルックアップテーブル格納メモリと第２のルックアップテーブル格納メモリに入力する入力データを切り替える信号経路切替手段と、
前記信号経路切替手段を制御する信号経路切替制御手段と、
第１のルックアップテーブル格納メモリと、第２のルックアップテーブル格納メモリに格納する変換用参照テーブルを変更するＬＵＴ制御手段と、
第１のルックアップテーブル格納メモリと第２のルックアップテーブル格納メモリの出力データを切り替えて出力する出力切り替え手段と、
前記入力データを所定値と比較する比較器と、
前記切り替え手段による出力データの切り替えを制御する出力制御手段と、
を有し、
前記信号経路切替制御手段と前記ＬＵＴ制御手段と前記出力制御手段が異なる複数の制御モードを有することを特徴とするデータ変換回路。
【００１１】
２．
前記信号経路切替制御手段は、
信号経路切替手段を第１の入力データと第２の入力データのいずれかを第１のルックアップテーブル格納メモリと、第２のルックアップテーブル格納メモリに入力するように切り替える第１の制御モードと、
第１の入力データと第２の入力データを同時に第１のルックアップテーブル格納メモリと、第２のルックアップテーブル格納メモリに入力する第２の制御モードを有することを特徴とする１に記載のデータ変換回路。
【００１２】
３．
前記ＬＵＴ制御手段は、
第１のルックアップテーブル格納メモリには第１の変換用参照テーブルを、
第２のルックアップテーブル格納メモリには第２の変換用参照テーブルを、
それぞれ格納する第１の制御モードと、
第１のルックアップテーブル格納メモリと第２のルックアップテーブル格納メモリに第３の変換用参照テーブルを格納する第２の制御モードを有することを特徴とする１に記載のデータ変換回路。
【００１３】
４．
前記第１の変換用参照テーブルは、所定値以下の画像データを階調変換するためのデータであり、
前記第２の変換用参照テーブルは、所定値以上の前記画像データを階調変換するためのデータであることを特徴とする３に記載のデータ変換回路。
【００１４】
５．
前記出力制御手段は、
前記比較器の比較結果に基づいて、前記出力切り替え手段を切り替えて前記出力データとして出力する第１の制御モードと、
前記第１のルックアップテーブル格納メモリと前記第２のルックアップテーブル格納メモリの出力データを前記出力データとして出力する第２の制御モードを有することを特徴とする１に記載のデータ変換回路。
【００１５】
６．
被写体像を光電変換して画像信号を生成する撮像手段と、
前記撮像手段から取り込んだ前記画像信号をＡ／Ｄ変換するＡ／Ｄ変換回路と、
前記Ａ／Ｄ変換回路でＡ／Ｄ変換された画像データを記憶する第１の入力画像メモリ、および第２の入力画像メモリと、
前記第１の入力画像メモリと、前記第２の入力画像メモリに記憶した前記画像データを、前記変換出力データに変換して出力する１乃至５の何れか１項に記載のデータ変換回路と、
記録画像を記憶する記録画像メモリと、
第１の表示用画像を記録する第１の表示用画像メモリと、
第２の表示用画像を記録する第２の表示用画像メモリと、
を有し、
前記第１の入力データは、第１の入力画像メモリの出力データ、
前記第２の入力データは、第２の入力画像メモリの出力データ、
であり、
前記第１の制御モードにおいては、
変換後の前記出力データを、前記記録画像メモリに記憶し、
前記第２の制御モードにおいては、
第１の変換用参照テーブルの出力データを第１の表示用画像メモリに、
第２の変換用参照テーブルの出力データを第２の表示用画像メモリに、
記憶することを特徴とする撮像装置。
【００１６】
７．
前記撮像装置は、
前記第１の表示用画像メモリと、第２の表示用画像メモリに記憶された画像データに基づき、画像を表示する表示手段と、
前記表示手段に、前記撮像手段で生成された画像信号に基づく撮影候補の画像表示を行わせるライブビューの作動を制御するライブビュー制御手段と、
を有し、
前記ライブビュー制御手段は、
撮影前に、前記信号経路切替制御手段を前記第２の制御モードに設定し、前記第１の入力画像メモリと前記第２の入力画像メモリに記憶されている前記画像データを、階調変換後、前記表示手段に表示し、
撮影時に、前記信号経路切替制御手段を前記第１の制御モードに設定し、撮影後に前記第１の入力画像メモリと前記第２の入力画像メモリに記憶された前記画像データを、階調変換して前記記録画像メモリに記憶することを特徴とする６に記載の撮像装置。
【００１７】
８．
前記撮像装置は、
前記第１の表示用画像メモリと、第２の表示用画像メモリに記憶された画像データに基づき、画像を表示する表示手段と、
前記表示手段に前記撮像手段で生成された画像信号に基づく撮影後の画像表示を行わせるアフタービューの作動を制御するアフタービュー制御手段と、
を有し、
前記アフタービュー制御手段は、
撮影時に前記信号経路切替制御手段を前記第１の制御モードに設定し、前記第１の入力画像メモリと前記第２の入力画像メモリに記憶された前記画像データを、階調変換して前記表示手段に表示した後、
前記信号経路切替制御手段を前記第２の制御モードに設定し、前記第１の入力画像メモリと前記第２の入力画像メモリに記憶されている前記画像データを、階調変換後、前記記録画像メモリに記憶することを特徴とする６または７に記載の撮像装置。
【発明の効果】
【００１８】
本発明によれば、記録用の画像データのγ特性を高精度に変換し、ライブビュー用画像データのγ特性を高速に変換する、ローコストなデータ変換回路および撮像装置を提供できる。
【発明を実施するための最良の形態】
【００１９】
以下、図面に基づき本発明の実施の形態を説明する。
【００２０】
まず、本発明に係わるデータ変換回路９００の一例を図１を用いて説明する。
【００２１】
図１は本発明に係わるデータ変換回路９００の動作を説明するための回路ブロック図である。データ変換回路９００は２つの動作モードを有し、図１（ａ）は第１の制御モードにおける信号経路、図１（ｂ）は第２の制御モードにおける信号経路を図示している。
【００２２】
最初に図１（ａ）を用いて、第１の制御モードにおける動作を説明する。
【００２３】
Ａ／Ｄ変換回路２１に入力された画像信号は、ディジタル値を持つ画像データに変換され、第１画像メモリ２６、第２画像メモリ２７に入力される。なお、説明を簡略化するため白黒画像の場合について説明するが、カラー画像の場合はＲ、Ｇ、Ｂの各色毎に２つの画像メモリを設ければ良い。
【００２４】
画像データは、例えば、Ａ／Ｄ変換回路２１から奇数番目に出力された画像データは第１画像メモリ２６、偶数番目の画像データは第２画像メモリ２７というように、２つの画像メモリに分けて記憶される。
【００２５】
信号経路切替部６１は、各モードに応じて第１画像メモリ２６と第２画像メモリ２７にそれぞれ記憶された画像データを、読み出す経路を切り替える、本発明の信号経路切替手段である。信号経路切替部６１の内部にはＳＷ１１とＳＷ１２の２つのスイッチがあり、それぞれのスイッチにはａ、ｂの切替ポジションがある。
【００２６】
信号経路切替部６１は信号経路切替制御部６０の制御により信号経路を切り替える。信号経路切替制御部６０は、本発明の信号経路切替制御手段である。
【００２７】
図１（ａ）では、ＳＷ１１とＳＷ１２の実線で図示した接片がａのポジションにあるので、第１の画像メモリ２６から読み出した例えば奇数番目の画像データが、信号経路切替部６１の出力ｏ１、ｏ２となる。第１の制御モードでは、例えば奇数番目の画像データのデータ変換処理を行った後、信号経路切替制御部６０は、図１（ａ）に破線で図示したようにＳＷ１１の接片をｂのポジションに切り替えて、第２の画像メモリ２７から読み出した例えば偶数番目の画像データを、信号経路切替部６１の出力ｏ１、ｏ２とする。このように、本実施形態では第１の制御モードにおいて、第１の画像メモリ２６から読み出した例えば奇数番目の画像データと第２の画像メモリ２７から読み出した例えば偶数番目の画像データを交互に出力するものとする。
【００２８】
なお、本発明はこのように２つの画像メモリから交互に出力する場合に限定して適用されるものではなく、例えば一方の画像メモリから全画素を読み出した後、もう一方の画像メモリの全画素を読み出してもよい。
【００２９】
次に、信号経路切替部６１の出力ｏ１、ｏ２は、ガンマ補正部２２１に入力される。
【００３０】
ガンマ補正部２２１は、ＬＵＴａ４０２、ＬＵＴｂ４０３、比較器４００、出力制御部４０１、ＳＷ１３を有する。
【００３１】
ＬＵＴａ４０２とＬＵＴｂ４０３は書き換え可能なメモリであり、入力としてメモリアドレスを指定すると、対応する変換用参照テーブルのデータを出力する。ＬＵＴａ４０２は、本発明の第１のルックアップテーブル格納メモリ、ＬＵＴｂ４０３は本発明の第２のルックアップテーブル格納メモリである。
【００３２】
ＬＵＴ制御部７７は、ＬＵＴａ４０２とＬＵＴｂ４０３に変換用参照テーブルを格納する制御を行う。
【００３３】
ＳＷ１３は、ＬＵＴａ４０２とＬＵＴｂ４０３の出力データを切り替える本発明の出力切り替え手段である。出力制御部４０１はＳＷ１３による出力データの切り替えを制御する本発明の出力制御手段、比較器４００はＬＵＴａ４０２の入力データを所定値と比較し、結果を出力する本発明の比較器である。
【００３４】
画像メモリ２３は、記録画像を記憶する記録用画像メモリ２３ａと、表示画像を記憶する第１表示用画像メモリ２３ｂと第２表示用画像メモリ２３ｃを有している。
【００３５】
第１の制御モードでは、ＳＷ１３の出力は記録用画像メモリ２３ａに記憶される。
【００３６】
次に、第１の制御モードにおける、出力制御部４０１による出力制御について図２を用いて説明する。図２は、第１の制御モードにおける変換用参照テーブルの一例を説明するための説明図である。図２（ａ）は、ＬＵＴａ４０２の第１の変換用参照テーブル、図２（ｂ）は、ＬＵＴｂ４０３の第２の変換用参照テーブルの一例である。図２の点線は理想γ特性を表している。本実施形態では説明を簡単にするため、入力データを３ｂｉｔとし、ＬＵＴａ４０２とＬＵＴｂ４０３は２ｂｉｔ分しかアドレス容量を持たないものとする。なお、ＬＵＴ制御部７７が、ＬＵＴａ４０２とＬＵＴｂ４０３を第１の制御モード用の第１の変換用参照テーブルと第２の変換用参照テーブルに書き換えているものとする。
【００３７】
入力データは３ｂｉｔとすると、デジタル値０〜７がＬＵＴａ４０２、ＬＵＴｂ４０３に入力される。すると、ＬＵＴａ４０２では、図２（ａ）に示すように、デジタル値０〜３までの入力データに対して、ＬＵＴａ４０２の第１の変換用参照テーブルの対応するアドレスに記憶されているγ特性のデータｄ０〜ｄ３が出力される。デジタル値４以上の入力データに対する出力は不定である。
【００３８】
一方、ＬＵＴｂ４０３では、図２（ｂ）に示すように、４〜７までの入力データに対して、ＬＵＴｂ４０３の第２の変換用参照テーブルの対応するアドレスに記憶されているγ特性のデータｄ４〜ｄ７が出力される。３以下の入力データに対する出力は不定である。
【００３９】
比較器４００は入力データを所定値と比較する。本実施形態では例えばデジタル値４と比較するものとし、入力データが０〜３のときは’Ｌ’、入力データが４以上のときは’Ｈ’を出力する。
【００４０】
出力制御部４０１は、比較器４００の出力が’Ｌ’のとき、ＳＷ１３を接片をｂのポジションに切り替えて、ＬＵＴｂ４０３の出力を記録用画像メモリ２３ａに出力する。一方、出力制御部４０１は、比較器４００の出力が’Ｈ’のとき、ＳＷ１３を接片をａのポジションに切り替えて、ＬＵＴａ４０２の出力を記録用画像メモリ２３ａに出力する。
【００４１】
このように第１の制御モードでは、第１画像メモリ２６または第２画像メモリ２７の画像データは順次、所定のγ特性に変換され記録用画像メモリ２３ａに記録される。
【００４２】
図３は本実施形態の第１の制御モードにおける第１の変換用参照テーブルと第２の変換用参照テーブルの総合特性を説明する説明図である。
【００４３】
記録用画像メモリ２３ａに記録される画像データは、図３に示すように、３ｂｉｔのデジタル値０〜７の入力データに対して、３ｂｉｔ分に相当するγ特性のデータｄ０〜ｄ７に変換される。このように、２ｂｉｔ分しかアドレス容量を持たないメモリを２つ使って、３ｂｉｔ相当の変換精度を得ることができる。
【００４４】
なお、本実施形態では説明のため２ｂｉｔ分しかアドレス容量を持たないメモリで説明したが、実際には例えば１６ｂｉｔ分のアドレス容量を持つメモリを２つ使うことにより、３２ｂｉｔ相当の変換精度が得られるので、理想特性に近いγ特性が得られる。
【００４５】
次に図１（ｂ）を用いて、第２の制御モードにおける動作を説明する。なお、図１（ａ）と同機能を有する構成要素には同符号を付し説明を省略する。
【００４６】
信号経路切替制御部６０は、第２の制御モードでは図１（ｂ）のように信号経路を切り替える。図１（ｂ）は、信号経路切替制御部６０によりＳＷ１１の接片がａのポジションに、ＳＷ１２の接片がｂのポジションに切り替えられた状態を示している。
【００４７】
第２の制御モードの信号経路では、第１の画像メモリ２６から読み出した例えば奇数番目の画像データは、ＬＵＴａ４０２に入力される。同時に、第２の画像メモリ２７から読み出した例えば偶数番目の画像データは、ＬＵＴｂ４０３に入力される。
【００４８】
次に、第２の制御モードにおける、変換特性について図４を用いて説明する。図４は、第２の制御モードにおける第３の変換用参照テーブルの一例を説明するための説明図である。ＬＵＴ制御部７７はデータ変換する前に、ＬＵＴａ４０２とＬＵＴｂ４０３をそれぞれ第３の変換用参照テーブルに書き替える。
【００４９】
図４は、本実施形態の第３の変換用参照テーブルの一例を説明する説明図である。第１の制御モードと同様に、入力データを３ｂｉｔとし、ＬＵＴａ４０２とＬＵＴｂ４０３は２ｂｉｔ分しかアドレス容量を持たないものとして説明する。
【００５０】
入力データのうち上位２ｂｉｔがＬＵＴａ４０２とＬＵＴｂ４０３に入力される。３ｂｉｔの入力データが例えば（０、１、０）と（０、１、１）のとき、３ｂｉｔのデジタル値はそれぞれ２、３であるが、上位２ｂｉｔは同じ（０、１）である。そのため、図４の横軸には、上位２ｂｉｔ（０、１）に対応する３ｂｉｔのデジタル値２、３を入力データの値として記している。縦軸は変換用参照テーブルの出力データのデジタル値であり、デジタル値２、３が入力されたとき、出力データとしてｅ１が出力される。
【００５１】
このように、上位２ｂｉｔに対応する０〜７までの入力データに対して、第３の変換用参照テーブルの対応するアドレスに記憶されているγ特性のデータｅ０、ｅ２、ｅ４、ｅ６が出力される。
【００５２】
ＬＵＴａ４０２の出力データは第１表示用画像メモリ２３ｂに、ＬＵＴｂ４０３の出力データは第２表示用画像メモリ２３ｃに記憶される。
【００５３】
なお、本実施形態では説明のため２ｂｉｔ分しかアドレス容量を持たない場合について説明したが、実際には例えば１６ｂｉｔ分のアドレス容量を持つメモリを使うことにより、表示用としては十分な変換精度が得られる。
【００５４】
また、上位ビットから得られたＬＵＴの出力データを補間して、変換精度を上げることもできる（例えば、特許文献１、特許文献２参照）。
【００５５】
補間方法の一例について、３ｂｉｔの入力データがデジタル値１の場合を例に説明する。デジタル値１のとき、上位２ｂｉｔは（０、０）であり、ＬＵＴａ４０２またはＬＵＴｂ４０３の出力データはｅ０になる。下位１ｂｉｔが１のとき、ＬＵＴａ４０２またはＬＵＴｂ４０３に上位２ｂｉｔに１を加算して入力し、出力データｅ２を得る。次に内挿演算回路を用いて、ｅ０とｅ２を線形補間することにより、デジタル値１のγ変換データとしてｅ１を得ることができる。
【００５６】
次に、本実施形態の第１の制御モードと第２の制御モードにおけるデータ変換処理のタイミングについて図５を用いて説明する。
【００５７】
図５は本発明に係るデータ変換回路９００のデータ変換処理のタイミングチャートである。図５（ａ）は第１の制御モード、図５（ｂ）は第２の制御モードにおける処理タイミングの一例を示している。
【００５８】
最初に図５（ａ）を用いて第１の制御モードのタイミングを説明する。
【００５９】
図５（ａ）の横軸は時間軸であり、ＬＵＴａ４０２、ＬＵＴｂ４０３、記録用画像メモリ２３ａのそれぞれのタイミングにおける状態を図示している。
【００６０】
最初に、ＳＷ１１の接片がａの位置にあり、第１画像メモリ２６から入力する信号経路になっているものとする。ＬＵＴａ４０２とＬＵＴｂ４０３は、第１画像メモリ２６から出力されている１番目のデータを、Ｔ１のタイミングでラッチする。Ｔ１の直後にＬＵＴａ４０２とＬＵＴｂ４０３から変換データが出力され、前述のように出力制御部４０１がＳＷ１３を切り替えて、ＬＵＴａ４０２またはＬＵＴｂ４０３のいずれかの出力を、記録用画像メモリ２３ａに出力する。
【００６１】
Ｔ２のタイミングで記録用画像メモリは、ＳＷ１３の出力を記憶する。
【００６２】
次に、Ｔ３のタイミングで、信号経路切替制御部６０はＳＷ１１の接片をｂの位置に切り替えて、第２画像メモリ２７から入力する信号経路に変更する。ＬＵＴａ４０２とＬＵＴｂ４０３は、第２画像メモリ２７から出力されている２番目のデータを、Ｔ４のタイミングでラッチする。Ｔ４の直後にＬＵＴａ４０２とＬＵＴｂ４０３から変換データが出力され、同様にＬＵＴａ４０２またはＬＵＴｂ４０３のいずれかの出力が、記録用画像メモリ２３ａに出力される。
【００６３】
Ｔ５のタイミングで記録用画像メモリは、ＳＷ１３の出力を記憶する。
【００６４】
このように、第１の制御モードでは第１画像メモリ２６のデータと第２画像メモリ２７のデータを順次データ変換している。
【００６５】
次に、図５（ｂ）を用いて第２の制御モードのタイミングを説明する。
【００６６】
図５（ｂ）の横軸は時間軸であり、それぞれのタイミングにおけるＬＵＴａ４０２、ＬＵＴｂ４０３、第１表示用画像メモリ２３ｂ、第２表示用画像メモリ２３ｃの状態を図示している。
【００６７】
第２の制御モードでは、前述のように第１画像メモリ２６の出力データがＬＵＴａ４０２に、第２画像メモリ２７の出力データがＬＵＴｂ４０３に出力される。
【００６８】
ＬＵＴａ４０２とＬＵＴｂ４０３は、第１画像メモリ２６と第２画像メモリ２７から出力されている１番目のデータを、Ｔ１１のタイミングでラッチする。Ｔ１１の直後にＬＵＴａ４０２とＬＵＴｂ４０３から変換データが出力される。
【００６９】
第１表示用画像メモリ２３ｂと第２表示用画像メモリ２３ｃは、Ｔ１２のタイミングで、ＬＵＴａ４０２とＬＵＴｂ４０３が変換したデータを記憶する。
【００７０】
次に、Ｔ１３のタイミングで、ＬＵＴａ４０２とＬＵＴｂ４０３は、第１画像メモリ２６と第２画像メモリ２７の２番目のデータを出力する。ＬＵＴａ４０２とＬＵＴｂ４０３は、第１画像メモリ２６と第２画像メモリ２７から出力されている２番目のデータを、Ｔ１４のタイミングでラッチする。
【００７１】
第１表示用画像メモリ２３ｂと第２表示用画像メモリ２３ｃは、Ｔ１５のタイミングで、ＬＵＴａ４０２とＬＵＴｂ４０３が変換したデータを記憶する。
【００７２】
このように、第２の制御モードでは第１画像メモリ２６のデータと第２画像メモリ２７のデータを同時にデータ変換しているので、第１の制御モードより高速にデータ変換を行うことができる。一方、第１の制御モードでは第１画像メモリ２６のデータと第２画像メモリ２７のデータを交互に読み出し、２つのＬＵＴデータを用いて高精度なデータ変換を行うことができる。
【００７３】
図６は、本発明に係る撮像装置の一例であるデジタルカメラの外観図である。図６（ａ）はデジタルカメラ前面の斜視図、図６（ｂ）はデジタルカメラ背面の斜視図である。
【００７４】
図６（ａ）において、８１は撮影レンズ、８２はファインダ窓、８３はシャッタボタン、８４はフラッシュ発光部、８６は調光用センサ窓、８７はストラップ取り付け部である。８９はレンズカバーであり、開状態で図示のように撮影レンズ８１は撮影可能状態となり、閉方向へ少し移動させることで撮影レンズ８１は沈胴する。即ち、レンズカバー８９の開閉とカメラの電源スイッチ９４が連動している。
【００７５】
レリーズボタン８３は半押し（以後スイッチＳＷ１のＯＮという）によりカメラの撮影準備動作、即ち焦点合わせ動作（ＡＦ機能）や露光条件の決定動作（ＡＥ機能）が行われ、全押し（以後スイッチＳＷ２のＯＮという）により撮影露光動作が行われる。
【００７６】
図６（ｂ）において、９１はファインダ接眼部、９２は赤と緑の表示ランプであり、ＡＦやＡＥの情報をスイッチＳＷ１がＯＮされた時、点灯もしくは点滅により撮影者に表示するものである。９３はズームボタンであり、ズームアップ、ズームダウンをおこなうボタンである。
【００７７】
９５はメニュー／セットボタン、９６は選択ボタンで４方向スイッチ、ＬＣＤ１８１は例えば液晶パネルなどを用いた画像表示部であり画像やその他文字情報等を表示する。メニュー／セットボタン９５で、ＬＣＤ１８１上に各種のメニューを表示させ、選択ボタン９６で選択し、メニュー／セットボタン９５で確定させる機能を有している。前記メニューにはデジタルズーム機能のＯＮ、ＯＦＦの選択メニューがあり、撮影者はメニュー／セットボタン９５、選択ボタン９６により、デジタルズーム機能のＯＮ、ＯＦＦを設定できる。
【００７８】
再生ボタン９７は、撮影した画像の再生をおこなうボタンである。９８はディスプレイボタンで、ＬＣＤ１８１に表示された画像やその他文字情報の表示や消去を選択するボタンである。９９は消去ボタンで、撮影記録した画像の消去をおこなうボタンである。１０１は三脚穴、１０２は電池／カード蓋である。電池／カード蓋１０２の内部には、本カメラの電源を供給する電池と、後述する撮影した画像を記録するカード型のメモリカード２５が挿脱可能になっている。
【００７９】
本発明に係る撮像装置の制御系について図７を用いて説明する。
【００８０】
図７は本発明に係わるデータ変換回路９００を備えたデジタルカメラ１の内部構成を示す概略ブロック図である。なお、図１、図６に示したものと同じ構成要素には同符号を付してその説明を省略する。
【００８１】
デジタルカメラ１は、ＡＤ変換部２１、画像処理部２２、操作部６０、メインマイコン部７、画像メモリ２３等を有する。
【００８２】
メインマイコン部７は、マイクロコンピュータを備えて構成される。すなわち、メインマイコン部７は、各種演算処理を行うＣＰＵ７０と、演算を行うための作業領域となるＲＡＭ７５と、制御プログラム等が記憶されるＲＯＭ７６とを備え、デジタルカメラ１の各処理部の動作を統括的に制御する。不揮発性メモリであるＲＯＭ７６としては、例えば、データの電気的な書き換えが可能なＥＥＰＲＯＭが採用される。これにより、ＲＯＭ７６は、データの書き換えが可能で、かつ、電源を落とした場合でもそのデータの内容を保持する。
【００８３】
操作部６０の独立して設けられた複数の操作部材であるシャッタボタン８３、ズームボタン９３、メニュー／セットボタン９５、選択ボタン９６、再生ボタン９７、ディスプレイボタン９８、消去ボタン９９、および電源スイッチ９４の出力はメインマイコン部７０に入力されている。
【００８４】
操作者（ユーザ）は、この操作部６０にて所定の操作を行うことにより、各種の設定操作を行うことができる。
【００８５】
図３の撮影レンズ８１は、複数のレンズを有するレンズ系レンズ部３２を備えている。これら複数のレンズの光軸上の位置をズーム・フォーカス駆動部３３２が駆動することにより移動させ、変倍がおこなわれる。変倍の制御はＣＰＵ７０の指令により、ズーム・フォーカス駆動部３３２が変倍を行う。
【００８６】
また、これら複数のレンズの内、フォーカシングに用られるレンズは、ＡＦ制御部７１からの制御信号により、ズーム・フォーカス駆動部３３２が駆動して焦点調節を行う。さらに、ＣＰＵ７０のＡＥ制御部７２は絞り・シャッター駆動部３３１を駆動し、絞り３３を所定の絞り値まで所定の時間開閉し、絞り値と電荷蓄積時間で決定される露光量を調定する。
【００８７】
なお、本発明は、ＣＣＤ、ＣＭＯＳ等の固体撮像素子に適用可能であるが、本実施形態では、固体撮像素子としてＣＣＤ５を用いた場合について説明する。
【００８８】
撮影前において、ＣＰＵ７０の指令により、ＣＣＤ駆動部６はタイミング信号を発生し、ＣＣＤ５からライブビュー画像の読み出し駆動を行っている。
【００８９】
撮影時は、一旦ＣＣＤ駆動部６がＣＣＤ５の電荷を掃き出し、所定の電荷蓄積時間の間、ＣＣＤ５を露光する。露光後、ＣＣＤ駆動部のタイミング信号により、ＣＣＤ５から撮影画像の読み出しが始まる。
【００９０】
Ａ／Ｄ変換回路２１、画像処理部２２および画像メモリ２３は、ＣＣＤ５にて取得された画像を扱う処理部を示している。すなわち、ＣＣＤ５にて取得されたアナログ信号の画像は、Ａ／Ｄ変換回路２１にてデジタル信号に変換される。Ａ／Ｄ変換後の画像データは第１画像メモリ２６と第２画像メモリ２７に入力される。例えば、第１画像メモリ２６には奇数番目の画像データが、第２画像メモリ２７には偶数番目の画像データが記憶される。
【００９１】
第１画像メモリ２６と第２画像メモリ２７の出力は、前述の信号経路切替部６１により切り替えられて、画像処理部２２のガンマ補正部２２１に入力される。
【００９２】
画像処理部２２はガンマ補正部２２１、輪郭補正部２２２、画像圧縮部２２３、デジタルズーム部２２４などの画像処理機能を有する。ガンマ補正部２２１、輪郭補正部２２２の補正量の設定値はメインマイコン部７からの指令により設定される。また、デジタルズーム部２２４の拡大倍率の設定はメインマイコン部７の変倍制御部７７からの指令により設定される。
【００９３】
ガンマ補正部２２１は、前述のように入出力特性である階調特性を表すＬＵＴａ４０２、ＬＵＴｂ４０３を持ち、入力されたデジタル値に対応するデジタル値に変換して出力する機能を持っている。すなわち、Ａ／Ｄ変換回路２１で変換されたデジタル信号を、ＣＰＵ７０のＬＵＴ制御部７７がＬＵＴａ４０２、ＬＵＴｂ４０３に設定する階調特性で階調変換する。
【００９４】
画像メモリ２３は、内部にメモリカード２５に記録する画像データを一時記憶する記録用画像メモリ２３ａと、ＬＣＤ１８１に表示する画像データを一時記憶する第１表示用画像メモリ２３ｂ、第２表示用画像メモリ２３ｃを有している。（図７には図示せず。）
輪郭補正部２２２は、ＣＰＵ７０の設定する入出力特性である周波数応答特性で画像の輪郭などを補正し、画像メモリ２３に一時的に格納する。
【００９５】
画像圧縮部２２３は、画像処理後のデジタル信号をＪＰＥＧ形式などに圧縮する。
【００９６】
デジタルズーム手段であるデジタルズーム部２２４は、変倍制御部７７の設定するデジタルズーム倍率で画像を拡大し、画像メモリ２３に一時的に格納する。
【００９７】
手ぶれ検出部４４は、角速度を検出する角速度センサを有し、前記角速度センサが検出した角速度に応じた電圧を出力する。メインマイコン部７は、入力された検出部４４を構成する各センサの出力電圧をデジタル値に変換し、角速度とする。
【００９８】
メインマイコン部７は、自動合焦制御部（ＡＦ制御部）７１、自動露出制御部（ＡＥ制御部）７２、ＬＵＴ制御部７７、手ぶれ制御部７８、信号経路切替制御部６０などの各種の制御機能を有する。メインマイコン部７の各種の機能は、予めＲＯＭ７６内に記憶される制御プログラムに従ってＣＰＵ７０が演算処理を行うことにより実現される。
【００９９】
また、圧縮後の画像をメモリカード２５に記録したり、またＬＣＤ１８１などに表示出力する制御機能も持っている。このような画像に対する各種の処理もメインマイコン部７の制御に基づいて行われる。
【０１００】
ＡＦ制御部７１は、ズーム・フォーカス駆動部３３２を制御して、フォーカシングレンズを小刻みに移動させ、それぞれで得られた画像データに基づいて画像の評価をおこない最適なフォーカシングレンズの位置を決定する（ＡＦ機能）。
【０１０１】
ＡＥ制御部７２は、撮影前に画像メモリ２３より得られる画像データに基づいて、撮影時の絞り値とシャッタ速度の露光条件を設定する（ＡＥ機能）。
【０１０２】
また、ＡＥ制御部７２は、フラッシュ撮影時においてフラッシュ９４の制御も行う。
【０１０３】
変倍制御部７７は、メニュー／セットボタン９５による設定と、ズームボタン９３の操作に応じて、ズーム・フォーカス駆動部３３２に指令し、レンズ部３２の焦点距離を変更したり、デジタルズーム部２２４に画像の拡大を指令する。
【０１０４】
手ぶれ制御部７８は、手ぶれ検出部４４から角速度の情報を得てレンズ部３２の図示しない結像面におけるぶれ量を算出し、シャッタ速度と焦点距離から求めた手ぶれ限界値と比較した結果に応じて、ズームフォーカス駆動部３３２を制御する。
【０１０５】
ＬＵＴ制御部７７は、ＲＯＭ７６に記憶されている所定の変換用参照テーブルを読み出し、ＬＵＴａ４０２、ＬＵＴｂ４０３に変換用参照テーブルを格納する。
【０１０６】
次に、本発明に係る撮像装置の動作について説明する。
【０１０７】
図８は、本実施形態における、ライブビュー表示と撮影の手順を説明するフローチャートである。なお、図８においては、デジタルカメラ１の電源が投入され、撮影モードが選択されて撮影待機状態になってからの処理について説明する。
【０１０８】
Ｓ１０１：ライブビュー用ＬＵＴデータを格納するステップである。
【０１０９】
ＬＵＴ制御部７７は、ＲＯＭ７６に記憶されている第３の変換用参照テーブルを読み出し、ＬＵＴａ４０２、ＬＵＴｂ４０３に第３の変換用参照テーブルを格納する。
【０１１０】
Ｓ１０２：第２の制御モードに信号経路を切り替えるステップである。
【０１１１】
信号経路切替制御部６０は、信号経路切替部６１を第２の制御モードの信号経路に切り替える。
【０１１２】
Ｓ１０３：ガンマ補正後、ライブビュー表示を行うステップである。
【０１１３】
ＣＰＵ７０の指令により、ガンマ補正部２２１で補正された画像データは、第１表示用画像メモリ２３ｂ、第２表示用画像メモリ２３ｃに順次更新して一時記憶されるので、ＬＣＤ１８１はこの画像データを順次読み出して表示する。
【０１１４】
Ｓ１０４：シャッタボタン８３を半押し（ＳＷ１  ＯＮ）にして撮影準備をするステップである。
【０１１５】
撮影者は、被写体が適切な位置と大きさに撮影できるように撮影画角を設定し、シャッタボタン８３を半押し（ＳＷ１  ＯＮ）にする。
【０１１６】
Ｓ１０５：自動焦点制御と露出制御を行うステップである。
【０１１７】
ＡＦ制御部７１は焦点を検出し、ズーム・フォーカス駆動部３３２に焦点位置Ｄまで移動するように指令し、レンズ部３２を合焦させる。また、ＡＥ制御部７２は自動露出制御を行う。
【０１１８】
Ｓ１０６：撮影者がシャッタボタン８３が全押し（ＳＷ２  ＯＮ）にして、撮影を開始するステップである。
【０１１９】
撮影者は、シャッタボタン８３を全押し（ＳＷ２  ＯＮ）にして、撮影を開始する。
【０１２０】
Ｓ１０７：ＣＰＵ７０の指令により、ライブビュー表示を終了するステップである。
【０１２１】
ＣＰＵ７０の指令により、ＬＣＤ１８１はライブビュー画像データを読み出しを終了する。
【０１２２】
Ｓ１０８：撮影モード用にＬＵＴデータを格納し、信号経路を切り替えるステップである。
【０１２３】
ＬＵＴ制御部７７は、ＲＯＭ７６に記憶されている第１の変換用参照テーブルと第２の変換用参照テーブルを読み出し、ＬＵＴａ４０２、ＬＵＴｂ４０３をそれぞれ第１の変換用参照テーブルと第２の変換用参照テーブルに書き替える。また、信号経路切替制御部６０は、信号経路切替部６１を第１の制御モードの信号経路に切り替える。
【０１２４】
Ｓ１０９：ＣＣＤ５に露光するステップである。
【０１２５】
ＡＥ制御部７１の指令により、絞り・シャッタ駆動部３３１は、ＡＥ制御部７１の算出した露光時間の間、絞り３３を開きＣＣＤ５に露光する。
【０１２６】
Ｓ１１０：撮影画像データを一時記憶するステップである。
【０１２７】
Ｓ１１１：ガンマ補正を行うステップである。
【０１２８】
次に、信号経路切替制御部６０は信号経路切替部６１を切り替えて、第１画像メモリ２６、第２画像メモリ２７に記憶されている撮影画像データを、順次ガンマ補正部２２１に入力する。ガンマ補正部２２１は、前述の第１の制御モードの手順によりガンマ補正を行ったデータを記録用画像メモリ２３ａに一時記憶する。
【０１２９】
Ｓ１１２：画像処理を行うステップである。
【０１３０】
画像処理部２２は、記録用画像メモリ２３ａに一時記憶した画像データに、ホワイトバランス補正や輪郭補正など所定の画像処理を行う。
【０１３１】
Ｓ１１３：撮影した画像データを、メモリカード２５に保存するステップである。
【０１３２】
ステップＳ１１２で画像処理後、ＣＰＵ７０の指令により、画像圧縮部２２３は撮影画像データを圧縮し、順次メモリカード２５に記録する。
【０１３３】
以上で手順の説明は終了である。
【０１３４】
このように、ライブビュー時は第２の制御モードでガンマ変換を行うので、高速に変換することが可能になり、ＬＣＤ１８１の表示フレームレートを高くすることができる。また、撮影した画像は第１の制御モードでガンマ変換を行うので、より高精度に変換することができる。
【０１３５】
次に、撮影直後に撮影した画像を表示するアフタービューモードに本発明を適用した実施形態について説明する。
【０１３６】
図９は、本実施形態における、アフタービュー表示と撮影の手順を説明するフローチャートである。図８で説明した処理と同じ処理には同番号を付し説明を省略する。なお、デジタルカメラ１の電源が投入され、ＳＷ１がＯＮになり、自動焦点制御と露出制御を行ってからの処理について説明する。
【０１３７】
Ｓ１０６：撮影者がシャッタボタン８３が全押し（ＳＷ２  ＯＮ）にして、撮影を開始する。
【０１３８】
Ｓ１０７：ＣＰＵ７０の指令により、ライブビュー表示を終了するステップである。
【０１３９】
ライブビュー表示を行っている場合はライブビュー表示を終了する。
【０１４０】
Ｓ２０１：アフタービュー用ＬＵＴデータを格納するステップである。
【０１４１】
ＬＵＴ制御部７７は、ＲＯＭ７６に記憶されている第３の変換用参照テーブルを読み出し、ＬＵＴａ４０２、ＬＵＴｂ４０３を第３の変換用参照テーブルに書き替える。
【０１４２】
Ｓ２０２：第２の制御モードに信号経路を切り替えるステップである。
【０１４３】
信号経路切替制御部６０は、信号経路切替部６１を第２の制御モードの信号経路に切り替える。
【０１４４】
Ｓ１０９：ＣＣＤ５に本露光するステップである。
【０１４５】
Ｓ１１０：撮影画像データを一時記憶するステップである。
【０１４６】
Ｓ２０３：ガンマ補正後、アフタービュー表示を行うステップである。
【０１４７】
ＣＰＵ７０の指令により、Ｓ１１０で一時記憶された撮影画像データは、ガンマ補正部２２１で補正され、第１表示用画像メモリ２３ｂ、第２表示用画像メモリ２３ｃに一時記憶されるので、ＬＣＤ１８１はこの画像データを読み出して表示する。
【０１４８】
Ｓ２０４：撮影モード用にＬＵＴデータを格納し、信号経路を切り替えるステップである。
【０１４９】
ＬＵＴ制御部７７は、ＲＯＭ７６に記憶されている第１の変換用参照テーブルと第２の変換用参照テーブルを読み出し、ＬＵＴａ４０２、ＬＵＴｂ４０３をそれぞれ第１の変換用参照テーブルと第２の変換用参照テーブルに書き替える。また、信号経路切替制御部６０は、信号経路切替部６１を第１の制御モードの信号経路に切り替える。
【０１５０】
Ｓ２０５：ガンマ補正を行うステップである。
【０１５１】
次に、信号経路切替制御部６０は信号経路切替部６１を切り替えて、第１画像メモリ２６、第２画像メモリ２７に記憶されている撮影画像データを、順次ガンマ補正部２２１に入力する。ガンマ補正部２２１は、前述の第１の制御モードの手順によりガンマ補正を行ったデータを記録用画像メモリ２３ａに一時記憶する。
【０１５２】
Ｓ１１２：画像処理を行うステップである。
【０１５３】
Ｓ１１３：撮影した画像データを、メモリカード２５に保存するステップである。
【０１５４】
以上で手順の説明は終了である
このように、本発明によれば、記録用の画像データのγ特性を高精度に変換し、ライブビュー用画像データのγ特性を高速に変換する、ローコストなデータ変換回路および撮像装置を提供できる。
【０１５５】
本実施の形態としてデジタルカメラを例示したが、画像処理装置や携帯電話、ビデオカメラなどにも適用可能である。
【０１５６】
また、本実施の形態では、２つのＬＵＴでデータ変換回路を構成しているが、３つ以上のＬＵＴでデータ変換回路を構成しても良い。例えば、２つのＬＵＴを第１の制御モードで高精度なデータ変換のために用い、他の２つを第２の制御モードで高速なデータ変換を行うようにしても良い。このようにすることにより、高速なデータ変換と、高精度なデータ変換を同時に並列処理することができる。このデータ変換回路を、例えばデジタルカメラに適用すると、アフタービューと記録画像のためのデータ変換を同時に行うことができるので、アフタービューで画像を確認している間に撮影画像を記録することができる。
【０１５７】
なお、本実施の形態では、１画面を同じ制御モードにて処理しているが、画素ごと、もしくはブロックごとに異なる制御モードにて処理してもよい。
【図面の簡単な説明】
【０１５８】
【図１】本発明に係わるデータ変換回路９００の動作を説明するための回路ブロック図である。
【図２】本実施形態の第１の制御モードにおける変換用参照テーブルの一例を説明するための説明図である。
【図３】本実施形態の第１の制御モードにおける第１の変換用参照テーブルと第２の変換用参照テーブルの総合特性を説明する説明図である。
【図４】本実施形態の第３の変換用参照テーブルの一例を説明する説明図である。
【図５】本発明に係るデータ変換回路のデータ変換処理のタイミングチャートである。
【図６】本発明に係る撮像装置の一例であるデジタルカメラの外観図である。
【図７】本発明に係わるデータ変換回路９００を備えたデジタルカメラ１の内部構成を示す概略ブロック図である。
【図８】本実施形態における、ライブビュー表示と撮影の手順を説明するフローチャートである。
【図９】本実施形態における、アフタービュー表示と撮影の手順を説明するフローチャートである。
【符号の説明】
【０１５９】
１  デジタルカメラ
５  ＣＣＤ
２３  画像メモリ
２５  メモリカード
４４  手ぶれ検出部
６０  信号経路切替制御部
６１  信号経路切替部
７０  ＣＰＵ
７５  電圧比較部
７７  ＬＵＴ制御部
７８  手ぶれ制御部
８１  撮影レンズ
２２１  ガンマ補正部
９００  データ変換回路
【図１】
2007235803.tif 000003
【図２】
2007235803.tif 000004
【図３】
2007235803.tif 000005
【図４】
2007235803.tif 000006
【図５】
2007235803.tif 000007
【図６】
2007235803.tif 000008
【図７】
2007235803.tif 000009
【図８】
2007235803.tif 000010
【図９】
2007235803.tif 000011